(57)【要約】      （修正有）【課題】筆記具の軸筒に装着するためのシリンダ状の筆記具装着用ルーペを提供するとともに、ルーペを筆記具の軸筒に装着したルーペ付筆記具において、筆記具の使用時であってもルーペを独立して使用でき、また、筆記具の全体形状のデザイン性を損なうことのないものを提供する。【解決手段】筆記具装着用ルーペを、前方を小幅とし後方を前記小幅より大幅とした、小幅部と大幅部との２段からなるシリンダ状に形成する。筆記具の軸筒の開口した後端部に空間部を設ける。前記筆記具装着用ルーペを、該筆記具装着用ルーペの小幅部を前記軸筒の空間部に挿入し、大幅部を軸筒の後端より露出させて、筆記具の後端に着脱自在に装着する。【選択図】図３
2006017785.tif 000002
【特許請求の範囲】
【請求項１】
筆記具に装着するためのシリンダ状のルーペであって、前方を小幅とし後方を大幅とした２段のシリンダ状であることを特徴とする筆記具装着用ルーペ。
【請求項２】
前記ルーペを、側面が長手方向に直交する方向の幅が小幅と大幅の２段形状とした、矩形状の当接面と該当接面に対向した面が曲面で構成した第１のルーペ部材部と第２のルーペ部材を設け、第１のルーペ部材と第２のルーペ部材の各々の一方の端部を連結手段により開閉可能に連結し、第１のルーペ部材と第２のルーペ部材の各々の当接面が当接した閉じた状態でシリンダ状となる、請求項１に記載の筆記具装着用ルーペ。
【請求項３】
前記第１のルーペ部材および第２のルーペ部材の小幅の当接面に対向した曲面の曲率と大幅の当接面に対向した曲面の曲率において、大幅の当接面に対向した曲面の曲率を小幅の当接面に対向した曲面の曲率より大きくしたことを特徴とする、請求項２に記載の筆記具装着用ルーペ。
【請求項４】
前記第１のルーペ部材の小幅の当接面に対向した曲面の曲率と大幅の当接面に対向した曲面の曲率において、小幅の当接面に対向した曲面の曲率と大幅の当接面に対向した曲面の曲率を同一に、前記第２のルーペ部材の小幅の当接面に対向した曲面の曲率と大幅の当接面に対向した曲面の曲率において、小幅の当接面に対向した曲面の曲率を大幅の当接面に対向した曲面の曲率をより小さくしたことを特徴とする、請求項２に記載の筆記具装着用ルーペ。
【請求項５】
前記第１のルーペ部材および第２のルーペ部材の小幅の当接面に対向した曲面の曲率と大幅の当接面に対向した曲面の曲率において、各々の曲面の曲率を各々相違させたことを特徴とする、請求項２に記載の筆記具装着用ルーペ。
【請求項６】
筆記具の軸筒の開口した後端部に空間部を設け、前記請求項１乃至５のいずれか１項に記載の筆記具装着用ルーペを、該筆記具装着用ルーペの小幅部を前記軸筒の空間部に挿入し大幅部を軸筒の後端より突出させて筆記具の軸筒の後端に着脱自在に装着したことを特徴とする、ルーペ付筆記具。
【請求項７】
前記請求項１乃至５項のいずれか１項に記載の筆記具装着用ルーペの小幅部の側面に軸心方向に沿って延びた突起又は凹溝からなる係合手段を設け、筆記具の軸筒の空間部の内壁面に軸心に沿った方向に延びた前記係合手段と係合する突起又は凹溝からなる被係合手段を設け、前記筆記具装着用ルーペの係合手段と筆記具の被係合手段とを係合することにより前記筆記具装着用ルーペの軸筒の空間部に対する回転防止手段としたことを特徴とする、請求項６に記載のルーペ付筆記具。
【発明の詳細な説明】
【技術分野】
【０００１】
本発明は、シリンダ状の筆記具装着用ルーペ、およびこのルーペを筆記具の軸筒の開口した後端部に形成した空間部に着脱自在に挿着したルーペ付筆記具に関する。
【背景技術】
【０００２】
従来、文字等が記載された紙面上に載置することにより文字等を拡大して視認できる、シリンダ状のルーペは知られている。また、このシリンダ状のルーペは携帯性が良く使い勝手も良いことから、筆記具に装着したものも提案されている。例えば、「透明プラスチック半円柱を装着したボールペン」なる考案が実開昭６１−２２６８４号公報により、また「ルーペ付き筆記具」なる考案が登録実用新案第３０２９８５０号公報により提案されている。
【０００３】
しかし、こうした従来の考案のルーペ付筆記具は、ルーペが軸筒に一体に組み込まれた構造となっており、筆記具を使用時にはルーペを使用することができないという問題がある。また、ルーペを軸筒の後端に単に連接した構造では、軸筒の後端に軸筒形状と相違したルーペが連接した形状となり、全長が長くなるということだけではなく、デザイン性も良くないという問題がある。
【０００４】
ところで、筆記具の前方に複数の筆記体を収納して、夫々の筆記先端部を選択的に軸先から出没可能とすると共に筆記具の後端に塗布体を備えた複式筆記具が、特開平１１−１１５３７７号公報により開示されいる。塗布体は、軸筒の開口した後端部に形成された空間部に挿着されている。本願発明者は、こうした構造に着目し、塗布体に替えてシリンダ状のルーペを、軸筒の開口した後端部に形成された空間部に着脱自在に挿着することにより、前記諸問題を解消することを思いつき、本発明に至った。
【特許文献１】実開昭６１−２２６８４号公報
【特許文献２】登録実用新案第３０２９８５０号公報
【特許文献３】特開平１１−１１５３７７号公報
【発明の開示】
【発明が解決しようとする課題】
【０００５】
本発明の解決しようとする課題は、筆記具の軸筒に装着するためのシリンダ状の筆記具装着用ルーペを提供するとともに、ルーペを筆記具の軸筒に装着したルーペ付筆記具において、筆記具の使用時であってもルーペを独立して使用でき、また、筆記具の全体形状のデザイン性を損なうことのないものを提供することにある。
【課題を解決するための手段】
【０００６】
本発明は、
「１．筆記具に装着するためのシリンダ状のルーペであって、前方を小幅とし後方を大幅とした２段のシリンダ状であることを特徴とする筆記具装着用ルーペ。
２．前記ルーペを、側面が長手方向に直交する方向の幅が小幅と大幅の２段形状とした、矩形状の当接面と該当接面に対向した面が曲面で構成した第１のルーペ部材部と第２のルーペ部材を設け、第１のルーペ部材と第２のルーペ部材の各々の一方の端部を連結手段により開閉可能に連結し、第１のルーペ部材と第２のルーペ部材の各々の当接面が当接した閉じた状態でシリンダ状となる、前記１項に記載の筆記具装着用ルーペ。
３．前記第１のルーペ部材および第２のルーペ部材の小幅の当接面に対向した曲面の曲率と大幅の当接面に対向した曲面の曲率において、大幅の当接面に対向した曲面の曲率を小幅の当接面に対向した曲面の曲率より大きくしたことを特徴とする、前記２項に記載の筆記具装着用ルーペ。
４．前記第１のルーペ部材の小幅の当接面に対向した曲面の曲率と大幅の当接面に対向した曲面の曲率において、小幅の当接面に対向した曲面の曲率と大幅の当接面に対向した曲面の曲率を同一に、前記第２のルーペ部材の小幅の当接面に対向した曲面の曲率と大幅の当接面に対向した曲面の曲率において、小幅の当接面に対向した曲面の曲率を大幅の当接面に対向した曲面の曲率をより小さくしたことを特徴とする、前記２項に記載の筆記具装着用ルーペ。
５．前記第１のルーペ部材および第２のルーペ部材の小幅の当接面に対向した曲面の曲率と大幅の当接面に対向した曲面の曲率において、各々の曲面の曲率を各々相違させたことを特徴とする、前記２項に記載の筆記具装着用ルーペ。
６．筆記具の軸筒の開口した後端部に空間部を設け、前記１項乃至５項のいずれか１項に記載の筆記具装着用ルーペを、該筆記具装着用ルーペの小幅部を前記軸筒の空間部に挿入し大幅部を軸筒の後端より突出させて筆記具の軸筒の後端に着脱自在に装着したことを特徴とする、ルーペ付筆記具。
７．前記１項乃至５項のいずれか１項に記載の筆記具装着用ルーペの小幅部の側面に軸心方向に沿って延びた突起又は凹溝からなる係合手段を設け、筆記具の軸筒の空間部の内壁面に軸心に沿った方向に延びた前記係合手段と係合する突起又は凹溝からなる被係合手段を設け、前記筆記具装着用ルーペの係合手段と筆記具の被係合手段とを係合することにより前記筆記具装着用ルーペの軸筒の空間部に対する回転防止手段としたことを特徴とする、前記６項に記載のルーペ付筆記具。」
である。
【発明の効果】
【０００７】
本発明の筆記具装着用ルーペは、シリンダ状で、軸筒内に挿入する小幅部と軸筒の後端開口部から外方に突出する大幅部の２段形状とし、小幅部のみを筆記具の軸筒の開口した後端部に形成した空間部に挿入するので、大幅部は筆記具装着用ルーペを軸筒の空間部に着脱する際の把持部となり、大幅部を把持して容易に前記空間部に着脱することができる。
【０００８】
また、シリンダ状のルーペにける倍率は、曲面の曲率により左右されることが知られているが、シリンダ形状を構成する曲面を、曲率が相違する複数の曲面で構成してシリンダ形状とすることで、１つのルーペで複数の倍率を有した筆記具装着用ルーペを提供できるが、本発明の筆記具装着用ルーペの形状は、小幅部と大幅部からなる２段のシリンダ状の形状にしてあるので、小幅部と大幅部との曲率を相違させることで２種類の倍率を有したルーペとなる。さらに、筆記具装着用ルーペを第１のルーペ部材と第２のルーペ部材とでシリンダ状に形成し、連結手段により連結した連結部を中心に開閉可能とすることにより、ルーペを閉じた状態でも使用できるし、ルーペを開いた場合には当接面を紙面に接して載置すれば、ルーペが転がることがないので手で持って使用する必要がない。さらに、第１のルーペ部材と第２のルーペ部材における小幅部と大幅部の各曲面の曲率を色々変えることにより、一つの筆記具装着用ルーペで何種類の倍率を有したルーペとすることができるという利点がある。
【０００９】
本発明のルーペ付筆記具は、ルーペを軸筒の開口した後端部に形成した空間部に着脱自在に装着するので、筆記具で筆記中に、ルーペを軸筒から取り外して使用でき、文字等が記載された紙面上に載置することで文字等を拡大して視認することができる。また、前記ルーペの小幅部の側面に設けた係合手段と、筆記具の軸筒の空間部を構成する内壁面に設けた被係合手段とを係合して軸筒に装着するので、ルーペは軸筒に装着した際に回転することがないので、軸筒内に装着されたルーペの小幅部が回転により軸筒の内壁面と擦れて表面に傷が付くということがないという利点がある。
【発明を実施するための最良の形態】
【００１０】
本発明における筆記具装着用ルーペはシリンダ状に形成するが、１部材でシリンダ状に形成したものでも良いし、当接面と該当接面に対向した面を曲面とした２つのルーペ部材で、各ルーペ部材の当接面を当接することでシリンダ状としたものでも良い。当接面は、平面である必要性はなく、中央部が若干内側にくぼんだ凹状または若干突出した凸状の曲面であっても良い。ルーペの材質としては、ガラス、アクリル樹脂等の合成樹脂が挙げられる。また、本発明における筆記具装着用ルーペは、軸筒の後端部の空間部に挿入される小幅部と、軸筒の外方に突出する軸筒の空間部の径より大径な大幅部都で構成された２段のシリンダ状の形状とする。前記したように１つでシリンダ状のルーペとしても良いし、２つのルーペ部材を組み合わせてシリンダ状のルーペとしても良い。その際、２つのルーペ部材の各々の一方の端部を開閉可能な連結手段により連結すれば、一方のルーペ部材を紛失して筆記具の空間部に装着できないということがない。また、２つのルーペ部材部材で構成したルーペにおいては、第１のルーペ部材における倍率、第２のルーペ部材における倍率、第１のルーペ部材と第２のルーペ部材を組み合わせた得られる倍率と、複数の倍率を有したルーペとして提供できる。
【００１１】
２つのルーペである第１のルーペ部材と第２のルーペ部材を開閉可能に連結するには、第１のルーペ部材と第２のルーペ部材を同材質で形成し、端部を開閉可能に薄肉状体で連接することで可能である。または、第１のルーペ部材と第２のルーペ部材の各々の端部に連結部材を配し、第１のルーペ部材と連結部材の一方の端部をピンを介して回転可能に連接し、第２のルーペ部材と連結部材の他方の端部をピンを介して回転可能に連接し、第１のルーペ部材と第２のルーペ部材を連設することで可能である。
【００１２】
ルーペ付筆記具は、前記したような筆記具挿着用ルーペを、筆記具の軸筒の開口した後端部に形成した空間部に着脱自在に装着するが、簡単にルーペが軸筒の空間部より抜け落ちないように、ルーペを軸筒内に圧入や、ルーペと軸筒の内壁に形成した、従来より嵌合手段として知られている落込嵌合手段や乗越嵌合手段により装着する。ルーペに突起又は凹溝を設け、筆記具の軸筒の空間部の内壁面に前記突起又は凹溝に係合する凹溝又は突起を設けて、前記突起と凹溝を係合することにより、或いはルーペに１つ又は２つの突起を設け、筆記具の軸筒の空間部の内壁面に前記突起を挟むように並列に配設した１つの突起または前記２つの突起間に係合する１つの突起を設けて、一方の１つの突起を他方の２つの突起間に係合することにより、ルーペが軸筒の空間部内で回転しないようにする。
【００１３】
筆記具は、筆記体の筆記先端部が軸筒の先端開口部より常時突出した構造のものであっても良いし、従来より良く知られている回転繰出機構やサイドノック式繰出機構等を軸筒内に設けて、筆記具の筆記先端部を軸筒の先端開口部より出没させる構造のものであっても良い。本発明における筆記具は、軸筒内にどのような内部構造を有したものでも良い。
【実施例】
【００１４】
本発明の実施例を図面を用いて説明する。同じ部材、同じ箇所を示すものには同じ符号を付してある。図１〜図２は、筆記具装着用ルーペの第１の実施例を示すものである。図１は筆記具装着用ルーペの斜視図であり、図２は、図１におけるＡ−Ａ線部分の横断面図である。
【００１５】
本実施例の筆記具装着用ルーペ１は、径が小幅な断面形状が略円形状の小幅部１ａと大幅な横断面形状が円形状の大幅部１ｂの２段からなるシリンダ状に形成してある。小幅部１ａの側面上には、軸心に沿った方向に延びた平地部２が設けてあり、該平地部２の大幅部１ｂ側の後方端部１ａｂには小幅部１ａと大幅部１ｂとの段差の長さより短い突出量の突起３を設けてある。
【００１６】
本筆記具装着用ルーペ１は、シリンダ状の小幅部１ａと大幅部１ｂとで曲面の曲率が相違しているので、２種類の倍率を有している。
【００１７】
図３〜図５は、前記筆記具装着用ルーペを装着したルーペ付筆記具の実施例を示すものであり、図３は、前記実施例のルーペを、筆記具本体に装着する前の状態を示した図である。図４は、図３におけるＢ−Ｂ線部分の拡大端面図である。図５は、前記実施例のルーペ１を筆記具本体に装着した状態を示す、ルーペ付筆記具側面図である。
【００１８】
本実施例に示すルーペ付筆記具１００は、軸筒１０２内にボールペン等の筆記体を収納した筆記具本体１０１の後端に前記筆記具装着用ルーペ１を着脱自在に装着したものである。筆記具本体１０１は、筆記体の筆記先端部１０３ａが軸筒１０２の先端開口部１０２ａより常時突出したものである。
【００１９】
クリップ１０４を一体に形成した軸筒１０２の開口した後端部１０２ｂには、空間部１０５を形成してある。図４に示すように、空間部１０５を構成する軸筒１０２の内壁面１０６のクリップ１０４側の部分には、軸心に沿った方向に延びた２つの並列した係合突起１０７を設けてある。前記筆記具装着用ルーペ１は、先ずルーペ１に設けた突起３を前記軸筒１０２の内壁面１０６に設けた２つの係合突起の間の部分１０８に係合して、ルーペ１を空間部１０５に装着する。ルーペ１の突起３は、軸筒１０２の係合突起の間の部分１０８の内壁面圧入状態で当接するような寸法形状にしてあるので、容易に空間部１０５から離脱することはない。また、突起３が２つの係合突起１０７に挟まれているので、ルーペ１が筆記具本体１０１の空間部１０５内で回転することもない。また、図５に示すように、ルーペ１は、筆記具本体１０１に装着した際に大幅部１ｂが筆記具本体１０１の軸筒１０２の開口後端部１０２ｂより外方に突出するので、着脱時に大幅部１ｂを挟持して着脱操作を行うことができる。
【００２０】
図６〜図７は、筆記具装着用ルーペの第２の実施例を示すものであり、図６はその筆記具装着用ルーペの斜視図である。図７は、図６におけるＣ−Ｃ線部分の横断面図である。
【００２１】
第２の実施例の筆記具装着用ルーペ１１は、横断面形状が略ラグビーボール形状で、その長径側の長さが小幅な小幅部１１ａと大幅な大幅部１１ｂの２段からなるシリンダ状に形成してある。前記小幅部１１ａと大幅部１１ｂの長径側の両端は、平地部１２、１３としてある。小幅部１１ａは、前記筆記具本体１０１の軸筒１０２の空間部１０５に挿入可能に形成してあり、大幅部１１ｂは空間部１０５の内径より長径側の長さを大径に形成してある。また、本筆記具装着用ルーペ１は、小幅部１ａと大幅部１ｂとにおける曲面の曲率は同一であるので、従って、小幅部１１ａと大幅部１１ｂにおけるルーペとしての倍率は同じである。
【００２２】
小幅部１１ａの両端の平地部１２には、小幅部１１ａの前方端部１１ａａと大幅部１１ｂ側の後方端部１１ａｂに、小幅部１ａと大幅部１ｂとの段差より短い突出量の突起１４、１５を設けてある。
【００２３】
第２の実施例の筆記具装着用ルーペ１１を装着したルーペ付筆記具とするには、図示していないが、図３に示す筆記具本体１０１に、前記実施例と同様にして、本実施例の筆記具装着用ルーペ１１を、小幅部１１ａの一方の平地部１２の突起１４、１５を前記筆記体１０１の軸筒１０２の内壁面１０６に形成した
係合突起の間の部分１０８に係合させて、ルーペ１１を空間部１０５に装着すれば良い。前記第１の実施例のルーペ１と同様に、一方の平地部１２の突起１４、１５は係合突起の間の部分１０８の内壁面に、他方の平地部１２の突起１４、１５は軸筒の内壁面１０６に圧入状態で当接するような寸法形状にしてあるので、容易に空間部１０５から離脱することはない。
【００２４】
図８〜図９は、筆記具装着用ルーペの第３の実施例を示すものであり、図８は開閉可能な筆記具装着用ルーペの斜視図である。図９は、ルーペを開いた状態を示す筆記具装着用ルーペの平面図である。
【００２５】
第３の実施例の筆記具装着用ルーペ２１は、第１のルーペ部材２２と第２のルーペ部材２３とからなる。第１のルーペ部材２２は、平面状の当接面２４と該当接面２４に対向した面を屈曲させた曲面２５とで構成されており、当接面２４における長手方向に直交する方向の幅が小幅な当接面２４ａと曲面２５ａで構成された小幅部２６と、当接面２４における長手方向に直交する方向の幅が大幅な当接面２４ｂと曲面２５ｂで構成された大幅部２７を有する。大幅部２７の曲面２５ｂの横断面形状は半円状に形成してあり、小幅部２６の曲面２５ａの形状は大幅部２７の曲面２５ｂの曲率より小さな曲率の円弧状に形成してある。第２のルーペ部材２３は、第１のルーペ部材２２と全く同形状に形成してある。
【００２６】
第１のルーペ部材２２および第２のルーペ部材２３の小幅部２６の当接面２４ａにおける長辺側の両端には平地部２８を設けてあり、第１のルーペ部材２２および第２のルーペ部材２３の同側の一方の平地部２８ａ（図９において上側の平地部）の大幅部２７側の端部には、小幅部２６と大幅部２７との段差より短い突出量の突起２９を設けてある。
【００２７】
第１のルーペ部材２２と第２のルーペ部材２３は、各々の当接面２４が同一平面上となるように配設して、第１のルーペ部材２２の小幅な当接面２４ａ側の端部と第２のルーペ部材２３の小幅な当接面２４ａ側の端部が薄皮状態で連接している。これにより、第１のルーペ部材２２と第２のルーペ部材２３の互いの当接面２４を当接、離間状態（図８において矢印方向）に開閉可能に設けてある。第１のルーペ部材２２と第２のルーペ部材２３を閉じて互いの当接面２４を当接することにより、筆記具装着用ルーペ２１として２段からなるシリンダ形状となる。第１のルーペ部材２２と第２のルーペ部材２３の小幅部２６で構成されるシリンダ状の小幅部は、前記筆記具本体１０１の軸筒１０２の開口した後端部１０２ｂに形成した空間部１０５に挿入可能に形成してあり、第１のルーペ部材２２と第２のルーペ部材２３の大幅部２７で構成されるシリンダ状の大幅部は、前記筆記具本体１０１の空間部１０５の内径より大径で、開口後端部１０２ｂの軸径と略同径に形成してある。
【００２８】
本実施例のルーペ２１は、第１のルーペ部材２２における小幅部２６と大幅部２７の曲面の曲率が相違しているので、従ってルーペとしての２種類の倍率が得られ、第２のルーペ部材２７における小幅部２６と大幅部２７の曲面の各々の曲率は、第１のルーペ部材２２における小幅部２６と大幅部２７の曲面の曲率と同じであり、同じ倍率である。第１のルーペ部材２２と第２のルーペ部材２３を閉じた状態のシリンダー状の小幅部と大幅部における倍率は、前記２種類の倍率と相違した倍率が得られ、本実施例のルーペ２１は４種類の倍率を得ることができる。
【００２９】
第３の実施例の筆記具装着用ルーペ２１を装着したルーペ付筆記具とするには、図示していないが、図３に示す筆記具本体１０１に、前記実施例と同様にして、本実施例の筆記具装着用ルーペ２１を、小幅部２６の一方の平地部２８に形成した突起３２を前記筆記体１０１の軸筒１０２の内壁面１０６の係合突起の間の部分１０８に係合させて、ルーペ２１を空間部１０５に装着すれば良い。前記第１の実施例のルーペ１と同様に、一方の平地部１２の突起３２は係合突起の間の部分１０８の内壁面に圧入状態で当接するような寸法形状にしてあるので、容易に空間部１０５から離脱することはない。
【００３０】
図１０〜図１２は、筆記具装着用ルーペの第４の実施例を示すものであり、図１０は開閉可能な筆記具装着用ルーペであって、開いた状態を示す図である。図１１は、そのルーペを分解した状態を示す、筆記具装着用ルーペの分解図である。図１２は、そのルーペの組立て状態を示す、筆記具装着用ルーペの組立状態図である。
【００３１】
第４の実施例の筆記具装着用ルーペ４１は、前記第３の実施例の筆記具装着用ルーペ２１と同様に第１のルーペ部材４２と第２のルーペ部材４３とからなる。第１のルーペ部材４２および第２のルーペ部材４３は、若干内側にくぼんだ凹状の曲面である当接面４４における長手方向に直交する方向の幅が小幅な当接面４４ａと曲面４５ａで構成された小幅部４６と、当接面における長手方向に直交する方向の幅が大幅な当接面４４ｂと曲面４５ｂで構成された大幅部４７を有する。
【００３２】
前記第３の実施例の筆記具装着用ルーペ２１と同様に、第１のルーペ部材４２および第２のルーペ部材４３の小幅部４６の両端（図１０において上下端）には平地部４８を設けてあり、両平地部４８の小幅部４６の大幅部４７側の端部には、小幅部４６と大幅部４７との段差より短い突出量の突起４９を設けてある。
【００３３】
第１のルーペ部材と第２のルーペ部材の大幅部４７の反対側の小幅部４６の端部には切欠部５０が設けてあり、該切欠部５０には連結部材５１を配設して、該連結部材５１の一方端５１ａをピン５２を介して第１のルーペ部材４２に、連結部材５１の他方端５１ｂをピン５１を介して第２のルーペ部材４３に互いに回動可能に枢着して、第１のルーペ部材４２と第２のルーペ部材４３を連接し、第１のルーペ部材４２と第２のルーペ部材４３の互いの当接面４４を当接、離間状態に開閉可能に設けてある。第３の実施例の筆記具装着用ルーペ２１と同様に、第１のルーペ部材４２と第２のルーペ部材４３を閉じて互いの当接面４４を当接することにより、筆記具装着用ルーペ４１として２段からなるシリンダ形状となる。第１のルーペ部材４２と第２のルーペ部材４３の小幅部４６で構成されるシリンダ状の小幅部は、前記筆記具本体１０１の軸筒１０２の開口した後端部１０２ｂに形成した空間部１０５に挿入可能に形成してあり、第１のルーペ部材４２と第２のルーペ部材４３の大幅部４６で構成されるシリンダ状の大幅部は、前記筆記具本体１０１の空間部１０５の内径より大径で、開口後端部１０２ｂの軸径と略同径に形成してある。
【００３４】
本実施例のルーペ４１は、第１のルーペ部材４２における小幅部４６と大幅部４７の曲面の曲率が相違しているので、従ってルーペとしての２種類の倍率が得られ、第２のルーペ部材４３における小幅部４６と大幅部４７の曲面の各々の曲率は、第１のルーペ部材４２における小幅部４６と大幅部４７の曲面の曲率と同じであり、同じ倍率である。第１のルーペ部材４２と第２のルーペ部材４３を閉じた状態のシリンダー状の小幅部と大幅部における倍率は、前記２種類の倍率と相違した倍率が得られ、本実施例のルーペ４１は４種類の倍率を得ることができる。
【００３５】
第４の実施例の筆記具装着用ルーペ４１を装着したルーペ付筆記具とするには、図示していないが、本実施例の筆記具装着用ルーペ４１を、小幅部４６の一方の平地部４８に形成した突起４９を前記筆記体１０１の軸筒１０２の内壁面１０６の係合突起の間の部分１０８に係合させて、他方の平地部４８の突起４９は軸筒の内壁面１０６に圧入状態で当接するような寸法形状にしてあるので、容易に空間部１０５から離脱することはない。
【００３６】
第５の実施例の筆記具装着用ルーペは、図示していないが、第１のルーペ部材の当接面に対向した小幅部と大幅部の曲面の曲率を同一に形成した以外は、第４の実施例の筆記具装着用ルーペ５１と同様にして形成した。その結果、第１のルーペ部材と第２のルーペ部材を開いた状態ではルーペとしての３種類の倍率が得られ、閉じた状態ではシリンダー状の小幅部と大幅部において２種類の倍率が得られ、１つのルーペで５種類の倍率を得ることができる。
【００３７】
第６の実施例の筆記具装着用ルーペは、図示していないが、第１のルーペ部材及び第２のルーペ部材の当接面に対向した各々の小幅部と大幅部の曲面の曲率を相違させて形成した以外は、第４の実施例の筆記具装着用ルーペ５１と同様にして形成した。その結果、第１のルーペ部材と第２のルーペ部材を開いた状態ではルーペとしての４種類の倍率が得られ、閉じた状態ではシリンダー状の小幅部と大幅部において２種類の倍率が得られ、１つのルーペで６種類の倍率を得ることができる。
【００３８】
第５及び第６の実施例の筆記具装着用ルーペを装着したルーペ付筆記具とするには、図示していないが、各筆記具装着用ルーペにおける第１のルーペ部材と第２のルーペ部材を閉じた状態にして、前記した第４の実施例の筆記具装着用ルーペ５１の場合と同様にして、ルーペを前記筆記具本体１０１の空間部１０５に装着する。
【００３９】
図１３は、筆記具本体の実施例の要部断面図である。本実施例の筆記具本体１２１は、軸筒１２２内に回転繰出機構を配設した、いわゆる回転式筆記具と呼ばれているものである。軸筒１２２は胴軸１２２ａと回転軸である鞘軸１２２ｂとで構成されており、鞘軸１２２ｂは胴軸１２２ａに対して回転可能に連設してある。軸筒１２２内には、黒色、赤色及び青色の油性インキ（図示せず）を充填した３本のボールペンの筆記体１２３（図においては便宜上２本しか描いていない。）を収納している。軸筒１２２内には、前記各々の筆記体１２３の筆記先端部（図示せず）を軸筒の先端開口部（図示せず）より繰出すための回転繰出機構を具備してある。
【００４０】
回転繰出機構は従来より知られており、簡単に説明すると、胴軸１２２ａの後方端部は鞘軸１２２ｂに被覆されており、３つの摺動溝１２４を形成してある。各々の摺動溝１２４には、後端にスライダー部材１２５ａ、１２５ｂを挿着した前記筆記体１２３ａ、１２３ｂがコイルスプリング１２６により後方に付勢されて収納してある。前記スライダー部材１２５ａ、１２５ｂの側面には、後方に向かって尖った頂部１２７を有した突起１２８を設けてある。鞘軸１２ｂの内側面には、軸心に沿った方向に変位するように形成したカム斜面１２９を有した回転カム１３０を設けてあり、前記突起１２８に当接させてある。鞘軸１２２ｂを胴軸１２２ａに対して回転することにより、回転カム１３０も回転し、カム斜面と該カム斜面に当接した各スライダー部材１２５の突起１２８とのカム作用で各筆記体１２３を前後動させ、筆記体の筆記先端部を前軸の先端開口部より出没させる構造である。
【００４１】
鞘軸１２２ｂの後端部は、胴軸１２２ａの後端部１２２ａｂが鞘軸１２２ｂの内方に突起した突起部１３１に係合してある。鞘軸１２２ｂの後端の外周面にはクリップ１３２を一体に形成してあり、鞘軸１２２ｂの後端内部は開口した空間部１３３としてある。該空間部１３３のクリップ１３２側の内壁面１３４の部分には軸心に沿った方向に延びた２つの並列した係合突起１３５が、前記した筆記体１０１と同様に設けてある。前記空間部１３３に、前記した筆記具装着用ルーペを、前記筆記体１０１と同様にして装着する。
【産業上の利用可能性】
【００４２】
本発明の筆記具装着用ルーペは、筆記具に着脱自在に装着するためのものであり、筆記具と一緒に携帯でき、文章等を書きながらルーペとして活用することができ、例えば参考書等の細かい文字を参照したいときも、文字等を書きながら前記細かい文字を拡大して見ることができ、わざわざルーペ等を探す必要もない等の利点があり、ルーペとして有効に利用可能である。また、ルーペをシリンダ状とし、シリンダ状の曲面の曲率を変えることにより倍率も容易に変更することができ、様々な形態の形状にすることにより、１つのルーペで何種類の倍率を有したルーペとなり、さらに有効に利用可能である。
【図面の簡単な説明】
【００４３】
【図１】第１の実施例を示す、筆記具装着用ルーペの斜視図である。
【図２】図１におけるＡ−Ａ線部分の横断面図である。
【図３】前記実施例のルーペを、筆記具本体に装着する前の状態を示した図である。
【図４】図３における、Ｂ−Ｂ線部分の拡大端面図である。
【図５】前記実施例のルーペを筆記具本体に装着した状態を示す、ルーペ付筆記具の側面図である。
【図６】第２の実施例を示す、筆記具装着用ルーペの斜視図である。
【図７】図６における、Ｃ−Ｃ線部分の拡大横断面図である。
【図８】第３の実施例を示す筆記具装着用ルーペの図で、開閉可能な筆記具装着用ルーペの斜視図である。
【図９】前記ルーペの開いた状態を示す、筆記具装着用ルーペの平面図である。
【図１０】第４の実施例を示す筆記具装着用ルーペの図で、開閉可能な筆記具装着用ルーペであって、開いた状態を示す図である。
【図１１】前記ルーペを分解した状態を示す、筆記具装着用ルーペの分解図である。
【図１２】前記ルーペをの組立て状態を示す、筆記具装着用ルーペの組立状態図である。
【図１３】筆記具本体の実施例の要部断面図である。
【符号の説明】
【００４４】
１、１１、２１、４１  ボールペン
１ａ  小幅部
１ｂ  大幅部
２、１２、１３  平地部
３、１４、１５  突起
２２、４２  第１のルーペ部材
２３、４３  第２のルーペ部材
２４、４４  当接面
２５、４５  曲面
２６、４６  小幅部
２７、４７  大幅部
２８、４８  平地部
２９、４９  突起
５１  連結部材
１００  筆記具装着用ルーペ
１０１、１２１  筆記具本体
１０２、１２２  軸筒
１０５、１３３  空間部
１０７、１３５  係合突起
【図１】
2006017785.tif 000003
【図２】
2006017785.tif 000004
【図３】
2006017785.tif 000005
【図４】
2006017785.tif 000006
【図５】
2006017785.tif 000007
【図６】
2006017785.tif 000008
【図７】
2006017785.tif 000009
【図８】
2006017785.tif 000010
【図９】
2006017785.tif 000011
【図１０】
2006017785.tif 000012
【図１１】
2006017785.tif 000013
【図１２】
2006017785.tif 000014
【図１３】
2006017785.tif 000015